(57)【要約】【課題】大径化を招くことなく、通流路の拡大を図ることができる電磁弁を提供する。【解決手段】プランジャ３２の内部空間５１にゴムバルブ５２を移動自在に収容し、ゴムバルブ５２に先端突出部６１を形成する。プランジャ３２の開口部４５より突出した先端突出部６１の先端に弁部材７１を取り付け、弁部材７１先端の弁部７２を先端突出部６１の端面より大径に形成する。この弁部７２を弁室８３の入力部９１の端面に離着座して、入力部９１に開口した入力ポート９２を開閉する。【選択図】図１
2008215571.tif 000002
【特許請求の範囲】
【請求項１】
通流路を開閉する弁部を備えた弁体がプランジャの内部に移動可能に保持された電磁弁において、
前記弁体の前記弁部を前記プランジャより突出させたことを特徴とする電磁弁。
【発明の詳細な説明】
【技術分野】
【０００１】
本発明は、例えば流体の制御を行う電磁弁に関する。
【背景技術】
【０００２】
従来、空気流路を切り替える際には、図２に示すような電磁弁８０１が用いられていた。
【０００３】
この電磁弁８０１のカバー８１１内には、ソレノイド８１２が内嵌されており、該ソレノイド８１２には、コア８１３の先端部が内嵌されている。該コア８１３の先端側には、プランジャ収容室８１４が形成されており、該プランジャ収容室８１４には、プランジャ８１５が移動自在に収容されている。該プランジャ８１５と前記コア８１３との間には、コイルスプリング８１６が配設されており、当該プランジャ８１５は、前記プランジャ収容室８１４の内側へ突出形成されたノズル側突出部８１７に着座するように付勢されている。
【０００４】
前記カバー８１１より延出したノズル８２１には、前記ノズル側突出部８１７を介して前記プランジャ収容室８１４に連通する入力ポート８２２と、前記プランジャ収容室８１４に連通した出力ポート８２３とが形成されており、前記コア８１３に突出形成されたコア側突出部８２４には、前記プランジャ収容室８１４に連通するドレンポート８２５が形成されている。
【０００５】
これにより、ソレノイド通電時には、前記プランジャ８１５を前記コア８１３側に吸引することで、前記入力ポート８２２から入力した空気を前記出力ポート８２３から出力する一方、ソレノイド非通電磁には、前記コイルスプリング８１６で付勢された前記プランジャ８１５が前記入力ポート８２２を閉鎖するとともに前記ドレンポート８２５を開放することで、前記出力ポート８２３の空気を前記ドレンポート８２５から排出できるように構成されている。
【０００６】
前記プランジャ８１５は、中空状に形成されており、両端面には、第１及び第２開口部８３１，８３２が開設されている。このプランジャ８１５の内部空間には、弁体を構成する第１ゴムバルブ８３３と第２ゴムバルブ８３４とが移動可能に収容されており、両ゴムバルブ８３３，８３４は、コイルスプリング８３５によって互いに離れる方向へ付勢されている。
【０００７】
これにより、前記第１開口部８３１側には、前記第１ゴムバルブ８３３が配置されており、前記第１開口部８３１を出入りする前記ノズル側突出部８１７が前記第１ゴムバルブ８３３端面の第１弁部８４１に離着座することによって前記入力ポート８２２を開閉できるように構成されている。また、前記第２開口部８３２側には、前記第２ゴムバルブ８３４が配置されており、前記第２開口部８３２を出入りする前記コア側突出部８２４が前記第２ゴムバルブ８３４端面の第２弁部８４２に離着座することによって前記ドレンポート８２５を開閉できるように構成されている。
【発明の開示】
【発明が解決しようとする課題】
【０００８】
しかしながら、このような電磁弁８０１にあっては、前記各ゴムバルブ８３３，８３４が前記プランジャ８１５内に収容されているため、その寸法がプランジャ８１５によって規制されている。
【０００９】
このため、空気通路の拡大による大流量化や切替速度向上に対応することができなかった。
【００１０】
また、前記各ゴムバルブ８３３，８３４を大径化する場合、各ゴムバルブ８３３，８３４を収容した前記プランジャ８１５や、該プランジャ８１５を収容したソレノイド８１２や、該ソレノイド８１２を収容したカバー８１１の大径化が余儀なくされ、当該電磁弁８０１の大型化を招くとともに、コストアップ要因となり得る。
【００１１】
本発明は、このような従来の課題に鑑みてなされたものであり、大径化を招くことなく、通流路の拡大を図ることができる電磁弁を提供することを目的とするものである。
【課題を解決するための手段】
【００１２】
前記課題を解決するために本発明の電磁弁にあっては、通流路を開閉する弁部を備えた弁体がプランジャの内部に移動可能に保持された電磁弁において、前記弁体の前記弁部を前記プランジャより突出させた。
【００１３】
すなわち、通流路を開閉する弁体の弁部は、プランジャより突出しており、このプランジャから突出した前記弁部は、前記プランジャの大きさに縛られること無く、大径化が可能となる。
【発明の効果】
【００１４】
以上説明したように本発明の電磁弁にあっては、前記プランジャより突出した前記弁部を、前記プランジャの大きさに関わらず、大径化することができる。
【００１５】
このため、前記弁部を大径化することで、該弁部で開閉される通流路の拡大を図ることができる。これにより、制御する流体の大流量化や、切替速度の向上に対応することができる。
【００１６】
このとき、前記プランジャを大径化すること無く、前記弁部の大径化を実現することができる。このため、前記弁部の大径化に伴って前記プランジャの大径化が余儀なくされる従来と比較して、電磁弁の大型化やコストアップを防ぐことができる。
【００１７】
したがって、大型化の防止と、通流路の拡大とを両立することができる。
【発明を実施するための最良の形態】
【００１８】
以下、本発明の一実施の形態を図面に従って説明する。図１は、本実施の形態にかかる電磁弁１を示す図であり、該電磁弁１の電磁弁本体２がバルブボディ３に固定された状態が示されている。
【００１９】
この電磁弁１は、空気の通流を制御するものであり、該電磁弁１を構成する前記電磁弁本体２は、容器状のケーシング１１を備えている。該ケーシング１１の内部には、ボビン１２にコイル１３が巻回されてなるソレノイド１４が内嵌されており、前記ボビン１２の鍔部１５より延出した延出片１６が前記ケーシング１１の切欠部１７から延出するように構成されている。このボビン１２の下部には、リング状のヨーク１８が配設されており、該ヨーク１８は、前記ケーシング１１に内嵌した状態で前記ボビン１２と前記バルブボディ３との間に配設されている。
【００２０】
前記ボビン１２の基端側には、前記ソレノイド１４で励磁されるコア２１が内嵌しており、該コア２１側面の溝部２２には、Ｏリング２３が装着されている。前記コア２１の基端には、凸部２４が形成されており、該凸部２４は、前記ケーシング１１端面の位置決め穴２５に内嵌された状態で位置決めされている。前記コア２１の先端部には、一般部２６より小径の小径部２７が形成されており、該小径部２７には、戻し用コイルスプリング２８が外嵌されている。
【００２１】
前記コア２１の先端側には、プランジャ収容室３１が形成されており、該プランジャ収容室３１には、前記戻し用コイルスプリング２８によって先端側へ付勢されるとともに、前記コア２１に吸引されるプランジャ３２が長さ方向へ移動自在に収容されている。
【００２２】
このプランジャ３２は、円筒状に形成されており、その基端が基端面４１によって閉鎖されている。該基端面４１の中央部には、小穴４２が形成されており、流体の通流を許容できるように構成されている。前記プランジャ３２先端の縁部は、中心方向へ向けてカシメられており、当該プランジャ３２の先端部には、中心線４３側へ向けて延出したリング状の内方折曲部４４が全周に渡って形成されている。これにより、前記プランジャ３２の先端には、前記内方折曲部４４で包囲された開口部４５が開口している。
【００２３】
前記プランジャ３２の内部空間５１には、弁体を構成するゴムバルブ５２が長さ方向へ移動自在に収容されており、該ゴムバルブ５２の基端面には、基端突出部５３が中央部に形成されている。この基端突出部５３には、コイルスプリング５４の先端部が外嵌しており、該コイルスプリング５４の基端は、当該プランジャ３２の前記基端面４１に当接している。
【００２４】
これにより、前記ゴムバルブ５２は、前記コイルスプリング５４によって先端へ向けて付勢されるとともに、当該ゴムバルブ５２に生じた外力によって前記プランジャ３２の前記内部空間５１へ後退できるように構成されている。
【００２５】
前記ゴムバルブ５２の先端面には、先端側へ突出した先端突出部６１が中央部に一体形成されており、該先端突出部６１の外周部には、前記先端面によって段差部６２が形成されている。これにより、当該ゴムバルブ５２は、前記コイルスプリング５４によって先端側へ付勢された状態で、前記段差部６２が前記内方折曲部４４に当接することで抜け止めされており、この状態において、前記先端突出部６１が前記内方折曲部４４内側の前記開口部４５を挿通するように構成されている。
【００２６】
この開口部４５を挿通した前記先端突出部６１の先端には、弁部材７１が一体的に取り付けられている。該弁部材７１は、前記先端突出部６１の端面に沿って延在する弁部７２と、該弁部７２より基端側に延出した円筒状の延出部７３と、該延出部７３の先端部が折曲形成されてなる係止爪７４，７４とによって構成されており、該係止爪７４は、前記先端突出部６１側面の係止溝７５，７５に係止されている。前記弁部７２は、平坦面で構成されており、当該弁部７２は、前記先端突出部６１の端面より大径に形成されている。
【００２７】
一方、前記電磁弁本体２が固定される前記バルブボディ３の取付面８１には、前記ケーシング１１を固定するための固定溝８２がリング状に形成されており、該固定溝８２の中心部には、前記電磁弁本体２より延出した前記プランジャ３２の先端部が挿入される弁室８３が凹設されている。該弁室８３には、図中奥側に出力ポートが連通しており、前記弁室８３内に入力された空気を前記出力ポートを介して出力できるように構成されている。
【００２８】
また、前記弁室８３には、前記プランジャ３２側へ向けて突出した円錐台形状の入力部９１が突設されており、該入力部９１の端面には、前記弁室８３に連通する通流路としての入力ポート９２が開口している。前記入力部９１の端面は、前記プランジャ３２より延出した前記ゴムバルブ５２先端の前記弁部７２が離着座する弁座部９３を構成しており、該弁座部９３に前記弁部７２が離着座することで、前記入力ポート９２を開閉できるように構成されている。
【００２９】
これにより、ソレノイド非通電磁には、前記戻し用コイルスプリング２８で付勢された前記プランジャ３２の前記弁部７２が前記弁座部９３に着座して前記入力ポート９２を閉鎖する一方、ソレノイド通電時には、前記プランジャ３２を前記コア２１で吸引し前記弁部７２を前記弁座部９３から離座して前記入力ポート９２を開放することで、該入力ポート９２からの空気を前記出力ポートから出力できるように構成されている。
【００３０】
以上の構成にかかる本実施の形態において、通流路としての前記入力ポート９２を開閉する弁体としての前記ゴムバルブ５２先端の先端突出部６１は、前記プランジャ３２の前記開口部４５より先端側へ突出しており、当該先端突出部６１に一体的に設けられた前記弁部７２は前記プランジャ３２から突出した位置に設けられている。このため、前記プランジャ３２から突出した前記先端突出部６１先端の前記弁部７２は、前記プランジャ３２や前記開口部４５の大きさに縛られることなく、大径化することができる。
【００３１】
このため、前記弁部７２を大径化することで、該弁部７２で開閉する前記入力ポート９２の開口面積を拡大することができる。これにより、制御する流体の大流量化や、切替速度の向上に対応することができる。
【００３２】
このとき、前記プランジャ３２を大径化すること無く、前記弁部７２の大径化を実現することができる。このため、前記弁部７２の大径化に伴って前記プランジャ３２の大径化が余儀なくされる従来と比較して、電磁弁１の大型化やコストアップを防ぐことができる。
【００３３】
したがって、大型化の防止と、通流路の拡大とを両立することができる。
【図面の簡単な説明】
【００３４】
【図１】本発明の一実施の形態を示す断面図ある。
【図２】従来の電磁弁を示す断面図である。
【符号の説明】
【００３５】
１    電磁弁
３２    プランジャ
５１    内部空間
５２    ゴムバルブ
６１    先端突出部
７２    弁部
９２    入力ポート
【図１】
2008215571.tif 000003
【図２】
2008215571.tif 000004